(57)【要約】【課題】安価でありかつ各種の画像形成装置に装着が可能な空気清浄装置を得る。【解決手段】図５（ａ）においては、第１の態様から上蓋２２が本体２１から取り外された状態が示されている。この際、各フィルター１１は、本体２１（本体筐体２１Ａ）における吸気口近くに形成された溝状の第１フィルター装着部２１Ｂに、その厚さ方向において嵌合するように装着される。取り外された各フィルター１１は、図５（ｃ）に示されるように、これを鉛直方向で９０°回転させて法線が上下方向となるようにした状態で、図５（ｄ）に示されるように各ファン１０の直上に装着できる構成とされる。図５（ｄ）の状態で再度上蓋２２を、本体２１に対し第１の態様よりも下側となるようにして装着すれば、第２の態様となる。【選択図】図５
2019133004.tif 000002
【特許請求の範囲】
【請求項１】
媒体に画像を形成して出力する画像形成装置に装着され、内部において前記画像形成装置から流れる気流を吸気口からフィルターを介して通過させて排気口から排出する空気清浄装置であって、
前記排気口が形成された本体と、
前記本体に対して装着されて固定されることにより前記吸気口を構成する蓋部と、
を具備し、
装着時における前記蓋部の前記本体との間の位置関係が複数設定され、前記位置関係に応じて前記吸気口の大きさが変わる構成とされたことを特徴とする空気清浄装置。
【請求項２】
前記本体に形成された本体側係合部と、前記蓋部に形成された蓋部側係合部とを係合させることによって、前記蓋部が前記本体に固定される構成とされ、
前記本体側係合部と前記蓋部側係合部との組み合わせが複数設定され、前記組み合わせに応じて前記位置関係が調整されることを特徴とする請求項１に記載の空気清浄装置。
【請求項３】
板状の前記フィルターが、その法線方向が前記気流に沿うように内部に設けられ、
前記位置関係に応じて、前記法線方向が変わる設定とされたことを特徴とする請求項１又は２に記載の空気清浄装置。
【請求項４】
前記吸気口が最大となるように前記位置関係が設定された場合において、前記フィルターは、前記吸気口を構成する面と平行に装着されることを特徴とする請求項３に記載の空気清浄装置。
【請求項５】
前記排気口を構成する面は、前記吸気口を構成する面と交差するように構成され、
前記吸気口が最小となるように前記位置関係が設定された場合において、前記フィルターは、前記排気口を構成する面と平行に装着されることを特徴とする請求項４に記載の空気清浄装置。
【請求項６】
スキャナーを具備しない前記画像形成装置、スキャナーを具備する前記画像形成装置に対して、それぞれ前記位置関係が異なる態様とされて装着されて用いられることを特徴とする請求項１から請求項５までのいずれか１項に記載の空気清浄装置。
【請求項７】
スキャナーを具備しない前記画像形成装置に装着される際には前記吸気口が最大に設定され、スキャナーを具備する前記画像形成装置に装着される際には前記吸気口が最小に設定されることを特徴とする請求項６に記載の空気清浄装置。
【請求項８】
請求項１から請求項７までのいずれか１項に記載の空気清浄装置が用いられることを特徴とする画像形成装置。
【発明の詳細な説明】
【技術分野】
【０００１】
本発明は、画像形成装置に装着されて用いられる空気清浄装置に関する。また、この空気清浄装置が用いられる画像形成装置に関する。
【背景技術】
【０００２】
用紙等の媒体上にトナーで構成された画像を形成する画像形成装置においては、例えばトナーを高温で用紙上に定着させる際に、臭気が発生する場合がある。このため、画像形成装置を使用する際には、防臭のための方策を施すことが好ましい。例えば特許文献１、２には、このような防臭のための機能をもつ防臭装置（空気清浄装置）を具備する画像形成装置が記載されている。防臭装置は、吸気口から吸入した空気をファンによって吸引し、内蔵されたフィルターを通して排出（排気）するように構成されている。この防臭装置は、用紙が用紙トレイから輸送されてから画像が形成された上で排紙されるような構成を具備する画像形成装置において、その機能を損なわずに防臭が可能となるように、背面に装着されて用いられる。
【０００３】
また、一般的に、用紙トレイは画像形成装置の下側にあるため、防臭装置における吸気は画像形成装置の上側において行われる。上記の防臭装置においては、このように吸気が行われ、排気は後方あるいは下方に向けて行われる。
【先行技術文献】
【特許文献】
【０００４】
【特許文献１】特開２０１１−１０７５００号公報
【特許文献２】特開２０１１−１６４５１０号公報
【発明の概要】
【発明が解決しようとする課題】
【０００５】
上記のように画像形成装置における防臭装置は、必要に応じて使用されるようにするため、あるいは画像形成装置全体の低コスト化のためには、各種の画像形成装置に対して脱着自在とされ、共通に使用できることが好ましい。
【０００６】
しかしながら、一方で、画像形成装置の形態は様々である。前記のように、画像形成装置においては、一般的に、用紙トレイは下側に設けられ、出力される用紙は装置の上側に排出される。しかしながら、装置の上側の構成は、画像形成装置の種類に応じて大きく異なる。例えば、スキャナー機能を具備しない画像形成装置（通常のプリンター）においては、用紙が排出される排紙部は一般的に装置のほぼ最上部に位置するのに対して、スキャナー機能を具備する画像形成装置（ＭＦＰ：Ｍｕｌｔｉ  Ｆｕｎｃｔｉｏｎ  Ｐｒｉｎｔｅｒ）においては、一般的にはスキャナー機能に関する機構（スキャナー用の給紙部等）が排紙部よりも更に上側に設けらている。
【０００７】
一方、前記のように、防臭装置における吸気は装置の上側から行うことが好ましい。また、どちらの場合においても、吸気効率を高くすることによって防臭効果を高くすることが要求される。このため、上記のような２種類に共通して使用可能な防臭装置を安価に得ることは困難であった。
【０００８】
このため、安価でありかつ各種の画像形成装置に装着が可能な空気清浄装置（防臭装置）が望まれた。
【０００９】
本発明はこのような状況に鑑みてなされたものであり、上記課題を解決できる技術を提供することを目的とする。
【課題を解決するための手段】
【００１０】
本発明の空気清浄装置は、媒体に画像を形成して出力する画像形成装置に装着され、内部において前記画像形成装置から流れる気流を吸気口からフィルターを介して通過させて排気口から排出する空気清浄装置であって、前記排気口が形成された本体と、前記本体に対して装着されて固定されることにより前記吸気口を構成する蓋部と、を具備し、装着時における前記蓋部の前記本体との間の位置関係が複数設定され、前記位置関係に応じて前記吸気口の大きさが変わる構成とされたことを特徴とする。
本発明の空気清浄装置は、前記本体に形成された本体側係合部と、前記蓋部に形成された蓋部側係合部とを係合させることによって、前記蓋部が前記本体に固定される構成とされ、前記本体側係合部と前記蓋部側係合部との組み合わせが複数設定され、前記組み合わせに応じて前記位置関係が調整されることを特徴とする。
本発明の空気清浄装置は、板状の前記フィルターが、その法線方向が前記気流に沿うように内部に設けられ、前記位置関係に応じて、前記法線方向が変わる設定とされたことを特徴とする。
本発明の空気清浄装置は、前記吸気口が最大となるように前記位置関係が設定された場合において、前記フィルターは、前記吸気口を構成する面と平行に装着されることを特徴とする。
本発明の空気清浄装置において、前記排気口を構成する面は、前記吸気口を構成する面と交差するように構成され、前記吸気口が最小となるように前記位置関係が設定された場合において、前記フィルターは、前記排気口を構成する面と平行に装着されることを特徴とする。
本発明の空気清浄装置は、スキャナーを具備しない前記画像形成装置、スキャナーを具備する前記画像形成装置に対して、それぞれ前記位置関係が異なる態様とされて装着されて用いられることを特徴とする。
本発明の空気清浄装置は、スキャナーを具備しない前記画像形成装置に装着される際には前記吸気口が最大に設定され、スキャナーを具備する前記画像形成装置に装着される際には前記吸気口が最小に設定されることを特徴とする。
本発明の画像形成装置は、前記空気清浄装置が用いられることを特徴とする。
【発明の効果】
【００１１】
上記の構成により、安価でありかつ各種の画像形成装置に装着が可能な空気清浄装置を得ることができる。
【図面の簡単な説明】
【００１２】
【図１】本発明の実施の形態に係る防臭装置の第１の態様における断面図である。
【図２】本発明の実施の形態に係る防臭装置の第２の態様における断面図である。
【図３】本発明の実施の形態に係る防臭装置の第１の態様における斜視図（ａ）、内部透視斜視図（ｂ）である。
【図４】本発明の実施の形態に係る防臭装置の第２の態様における斜視図（ａ）、内部透視斜視図（ｂ）である。
【図５】本発明の実施の形態に係る防臭装置を第１の態様から第２の態様とする際の斜視組立図である。
【図６】本発明の実施の形態に係る防臭装置において上蓋（蓋部）と本体筐体（本体）とが分離した状態におけるそれぞれの形態を示す分解斜視図である。
【図７】本発明の実施の形態に係る防臭装置の組み立てに関わる構造を、第１の態様において示す断面図（ａ）（ｂ）、その拡大図（ｃ）である。
【図８】本発明の実施の形態に係る防臭装置の組み立てに関わる構造を、第２の態様において示す断面図（ａ）（ｂ）、その拡大図（ｃ）である。
【図９】一般的なプリンターの構成を示す斜視図（ａ）、断面図（ｂ）（ｃ）である。
【図１０】一般的な複合機の構成を示す斜視図（ａ）、断面図（ｂ）（ｃ）である。
【図１１】本発明の実施の形態に係る防臭装置がプリンターに装着されて用いられる際の形態を示す斜視図（ａ）、断面図（ｂ）である。
【図１２】本発明の実施の形態に係る防臭装置が複合機に装着されて用いられる際の形態を示す斜視図（ａ）、断面図（ｂ）である。
【発明を実施するための形態】
【００１３】
以下、本発明を実施するための形態について図面を参照して説明する。実施の形態となる空気清浄装置（防臭装置）は、画像形成装置に装着されて使用される。ここで対象となる画像形成装置としては、スキャナー機能を具備しない通常のプリンター（以下、プリンターと略）と、スキャナー機能を具備する複合機の２種類であり、それぞれに応じて異なる態様で使用することができる。
【００１４】
図１、２は、この防臭装置（空気清浄装置）１の構造を示す鉛直方向に沿った断面図であり、それぞれ異なる態様を示している。図１の態様（第１の態様）は、この防臭装置１がプリンターに対して装着される際の態様であり、図２の態様（第２の態様）は、この防臭装置１がＭＦＰに対して装着される際の態様である。図１、２における破線矢印は、この防臭装置１が動作する際の空気の流れ（気流Ｆ）を示す。どちらの場合においても、空気は、図中左側の吸気口Ａから吸入され、左側から右側に流れた後に、右側の下方に設けられた排気口Ｂから下方に流れて排出される。この気流Ｆを生成するために、排気口Ｂの上流側には、電動で回転するファン１０が設けられている。ファン１０の回転軸は、図における紙面内において上下方向となっている。
【００１５】
防臭装置１においては、どちらの場合においても、気流Ｆは、排気口Ｂに達する前にフィルター（脱臭フィルター）１１を通過する。フィルター１１は、例えば活性炭等の消臭効果をもつ材料が混合された形で繊維状とされたフィルターであるため、気流Ｆがこのフィルター１１を通過することによって、消臭効果が得られる。フィルター１１は、矩形の板状とされており、この板状の面内に垂直な方向（法線方向）に気流Ｆが流されることによって、気流Ｆを遮断することなしに、効率的に消臭が行われる。なお、後述するように、排気口Ｂ、ファン１０、フィルター１１は実際には２組設けられており、これに対応して気流Ｆもそれぞれで生成される。
【００１６】
また、この防臭装置１は、図中下側においてファン１０等が固定された本体２１と、本体２１に対して上側から装着される上蓋（蓋部）２２が組み合わされて構成される。図１、２には記載されていないが、本体２１には、ファン１０を駆動するモーターやこれを制御するための構成要素も設けられている。
【００１７】
ここで、図１（第１の態様）、図２（第２の態様）においては、上蓋２２と本体２１との上下方向における位置関係と、フィルター１１の装着された位置及び態様が異なる。まず、図２の態様においては、上蓋２２は、図１の態様の場合と比べて本体２１に対してより低い位置となるように装着されている。吸気口Ａの上下方向における幅は本体２１と上蓋２２の位置関係で制限されるため、この幅は、図２の場合には図１の場合よりも小さくなる。すなわち、吸気口Ａは、第１の態様において第２の態様よりも大きくなる。
【００１８】
一方、フィルター１１は、図１の場合には吸気口Ａ近くの下流側においてその法線方向が水平となるように装着され、図２の場合には排気口Ｂ近くの下流側においてその法線方向が鉛直方向となるように装着される。図１の状態においては、フィルター１１は、その法線方向が水平（気流Ｆに沿った方向）となる状態で、上蓋２２と、本体２１における下側の外装部分である本体筐体２１Ａの間で挟持されて固定される。このため、図１の状態においては、吸気口Ａの大きさはフィルター１１の大きさで制限される。
【００１９】
図３（ａ）、図４（ａ）は、それぞれ第１の態様、第２の態様における防臭装置１の斜視図を示し、図３（ｂ）、図４（ｂ）は、それぞれ第１の態様、第２の態様における防臭装置１の内部透視斜視図を示している。内部透視斜視図においては、ファン１０、フィルター１１等の記載は省略されている。図４（ａ）の状態においては、前記のように、図３（ａ）の状態よりも全高が低くなっている。また、本体２１の側面には、ファン１０を駆動させるためのスイッチ１２、ファン１０の回転速度を調整するための調整ダイヤル１３、モーター等へ電源を胸腔させるための電源供給口１４が並んで設けられている。また、本体２１に本体筐体２１Ａには、メッシュ状とされた円形の排気口Ａが２つ設けられている。また、本体２１における吸気側には、防臭装置１が画像形成装置に装着された際に排紙部に用紙が排出されたことを検知するための用紙検知センサー１５も設けられている。
【００２０】
図５（ａ）〜（ｄ）は、第１の態様（図１、３）にある防臭装置１を第２の態様（図２、４）に変更する際の手順を示す斜視組立図である。図５（ａ）においては、図１、３の状態（第１の態様）から上蓋２２が本体２１から取り外された状態が示されている。なお、ここで示されるように、ファン１０、フィルター１１は、図３、４における排気口Ｂに対応して２組設けられる。この際、各フィルター１１は、本体２１（本体筐体２１Ａ）における吸気口Ａ近くに形成された溝状の第１フィルター装着部２１Ｂに、その厚さ方向において嵌合するように装着される。図５（ｂ）に示されるように、この状態から２つのフィルター１１を本体２１から取り外すことができる。
【００２１】
ここで取り外された各フィルター１１は、図５（ｃ）に示されるように、これを鉛直方向で９０°回転させて法線が上下方向となるようにした状態で、図５（ｄ）に示されるように各ファン１０の直上に装着できる構成とされる。この際、各ファン１０の直上には、各フィルター１１をその面内方向で嵌合させるように板状の部材で囲んで形成された第２フィルター装着部２１Ｃが設けられており、各フィルター１１は、その法線方向が鉛直方向（ファン１０の回転軸に沿った方向）となって装着される。図５（ｄ）の状態で再度上蓋２２を、本体２１に対して図１、３の状態よりも下側となるようにして装着すれば、図２、４の態様（第２の態様）となる。
【００２２】
ここで、本体２１に対する上下方向における２種類の位置関係として上蓋２２を本体筐体２１Ａに装着可能とする構造について説明する。図６は、上蓋２２と本体筐体２１Ａとが分離した状態におけるそれぞれの形態を示す分解斜視図である。ここで、上蓋２２は、吸気口Ａ側を軸として９０°程度上側に回動させた状態が示されている。なお、以下では、図１、２において、吸気口Ａがある側を前方とし、その反対側を後方とする。
【００２３】
本体筐体２１Ａにおける後方の側面には、後方（本体２１からみて外側）に向かって突出する３つの凸部（本体側係合部）２１Ｄが、水平に並んで形成されている。また、本体筐体２１Ａにおける右側の側面にも、右側（外側）に向かって突出する２つの凸部（本体側係合部）２１Ｅが、水平に並んで形成されている。なお、実際には凸部２１Ｅは反対側の側面にも設けられているが、その記載は図６では省略されている。
【００２４】
一方、上蓋２２における、その装着時における後方の側面には、装着時に３つの凸部２１Ｄと係合しうる凹部（蓋部側係合部）が３つずつ２組形成されている。この凹部は、この側面における前方（装着時に本体２１からみて内側）の表面に形成され、装着時において下側となる３つの第１凹部（蓋部側係合部）２２Ａからなる組と、上側となる３つの第２凹部２２Ｂ（蓋部側係合部）からなる組に２分される。同様に、上蓋２２における、その装着時における右側の側面には、装着時に２つの凸部２１Ｅと係合しうる凹部（蓋部側係合部）が２つずつ２組形成されている。この凹部は、この側面における左側（装着時に本体２１からみて内側）の表面に形成され、装着時において下側となる２つの第１凹部（蓋部側係合部）２２Ｃからなる組と、上側となる２つの第２凹部（蓋部側係合部）２２Ｄからなる組に２分される。なお、実際には第１凹部２２Ｃ、第２凹部２２Ｄは反対側の側面にも同様に形成されているが、その記載は図６では省略されている。
【００２５】
この構成においては、上蓋２２を本体筐体２１Ａに装着するに際し、第１凹部２２Ａ、２２Ｃが凸部２１Ｄ、２１Ｅにそれぞれ係合するように装着すれば、第１の態様となり、第２凹部２２Ｂ、２２Ｄが凸部２１Ｄ、２１Ｅにそれぞれ係合するように装着すれば、第２の態様となる。図７、８は、それぞれ、上記のように第１の態様、第２の態様とされた際の防臭装置１の凸部２１Ｅ等に関連する構造を詳細に示す図である。図７（ａ）、図８（ａ）には、この防臭装置１の側面図が、図７（ｂ）、図８（ｂ）にはそのＣ−Ｃ方向、Ｄ−Ｄ方向の断面図が、図７（ｃ）、図８（ｃ）にはそのうちの凸部２１Ｅに関わる部分の構造（図７（ｂ）における領域Ｅ、図８（ｂ）における領域Ｆ）を拡大した図が、第１の態様、第２の態様のそれぞれについて示されている。こうした構成によって、上蓋１１を本体２１に対して安定して装着して吸気口Ａを構成し、かつフィルター１１を内部に安定して保持して機能させる状態を、第１の態様、第２の態様のそれぞれにおいて実現することができる。
【００２６】
なお、上記の例では、凸部が本体筐体２１Ａ側に、凹部が上蓋２２側に設けられる設定とされたが、逆に、凹部を本体筐体２１Ａ側に、凸部を上蓋２２側に設けてもよい。あるいは、互いに係合して上蓋２２を本体筐体２１Ａに固定できる限りにおいて、凸部、凹部以外の構造を用いることもできる。
【００２７】
次に、実際にこの防臭装置１を画像形成装置に装着して用いる際の形態について説明する。図９、１０は、それぞれプリンター１００、複合機２００の構成を示す図である。図９（ａ）、図１０（ａ）には斜視図が、図９（ｂ）、図１０（ｂ）にはその側面図が、図９（ｃ）、図１０（ｃ）にはそのＧ−Ｇ方向、Ｈ−Ｈ方向における断面図が、それぞれプリンター１００、複合機２００について示されている。
【００２８】
図９（ａ）（ｂ）に示されるように、このプリンター１００は、略矩形体形状とされ、その最上部に、画像が形成されて出力された用紙が排出される排出トレイ１１０が設けられる。図９（ｃ）は、この排出トレイ１１０付近の断面が示されている。ここで、用紙Ｐは図中の破線矢印に示される経路で排紙ローラー１１１等によって搬送され、排出トレイ１１０における水平方向からやや傾斜した面の上に載置されるように順次出力される。
【００２９】
図１０に示されるように、複合機２００においても、プリンター１００と同様に用紙Ｐに画像を形成して出力するために、上記と同様の排出トレイ１１０等が設けられた複合機本体２１０を具備する。一方、複合機２００においては、画像が形成された用紙に対して光学的にこの画像を読み取るスキャナー機能も設けられ、このスキャナー機能のために用いられるスキャナーユニット２２０が、排出トレイ１１０の上側に設けられる。このため、プリンター１００においては排出トレイ１１０の上側には広い空間があるのに対し、複合機２００においては、排出トレイ１１０の上側の空間はスキャナーユニット２２０によって制限され、この空間は上下方向において図１０におけるスキャナーユニット２２０と複合機本体上面２１０Ａとの間の間隔Ｗで制限される。
【００３０】
図１１、１２は、それぞれ上記のプリンター１００、複合機２００において上記の防臭装置１が装着された際の構成を示す図である。図１１（ａ）、図１２（ａ）にはこの際の斜視図が、図１１（ｂ）、図１２（ｂ）には前記のＣ−Ｃ方向、Ｄ−Ｄ方向に対応したその断面図が、それぞれプリンター１００、複合機２００について示されている。
【００３１】
図１１においては、上記の防臭装置１が第１の態様でプリンター１００に装着されており、図１１（ｂ）においては、図９（ｃ）の状態、図１の状態が組み合わされている。ここでは、吸気口Ａの上下方向における幅が大きく吸気口Ａの面積が最大となる状態（第１の態様）でこの防臭装置１が用いられる。これによって、この防臭装置１の能力を最大限に発揮することができる。
【００３２】
一方、図１２においては、上記の防臭装置１が複合機２００に第２の態様で装着されており、図１２（ｂ）においては、図１０（ｃ）の状態、図２の状態が組み合わされている。ここでは、防臭装置１における吸気口Ａ側における上下方向の幅が図１０（ｃ）のＷ内に収まるように小さく吸気口Ａの面積が最小となる状態（第２の態様）とされる。このため、この防臭装置１を、この複合機２００に対しても用いることができる。
【００３３】
このため、上記の防臭装置１を、構成部品の変更をせずにその態様を切り替えることによって、プリンター１００、複合機２００に対して装着して使用することができる。
【００３４】
ここで、図５等に示されるように、この防臭装置１の構造は単純であり、少ない構成要素でこれを実現することができる。このため、この防臭装置１を安価とすることができる。
【００３５】
上記の構成においては、水平方向において吸気口Ａから空気を取り入れ、排気口Ｂから下方に排出する構成とされたが、吸気口Ａの大きさが可変とできる限りにおいて、この構成は任意である。また、フィルターの位置についても、これに伴って設定が可能である。
【００３６】
また、上記の例では、スキャナーの有無によってこの防臭装置１の態様が切り替えられて使用されるものとしたが、スキャナーの有無について以外においても、装着されるために用いられる部分の大きさが異なる画像形成装置について、同様にこの防臭装置１を用いることができる。この際、上記の例では、吸気口Ａの上下方向の幅が切り替わる設定とされたが、この幅の方向は適宜設定することができる。
【００３７】
また、上記の例では、吸気口Ａの大きさ（上下方向の幅)が２種類に切り替え可能とされたが、上記の凸部や凹部の組み合わせをより多く設定することによって、この大きさの種類を更に多くすることも可能である。この際、単に吸気口の幅を変えるだけでなく、形状を変えることもできる。これにより、より多くの機種に対応が可能となる。
【符号の説明】
【００３８】
１  防臭装置（空気清浄装置）
１０  ファン
１１  フィルター
１２  スイッチ
１３  調整ダイヤル
１４  電源供給口
２１  本体
２１Ａ  本体筐体
２１Ｂ  第１フィルター装着部
２１Ｃ  第２フィルター装着部
２１Ｄ、２１Ｅ  凸部（本体側係合部）
２２  上蓋（蓋部）
２２Ａ、２２Ｃ  第１凹部（蓋部側係合部）
２２Ｂ、２２Ｄ  第２凹部（蓋部側係合部）
１３  調整ダイヤル
１４  電源供給口
１５  用紙検知センサー
１００  プリンター(画像形成装置）
１１０  排出トレイ
１１１  排紙ローラー
２００  複合機(画像形成装置）
２１０  複合機本体
２１０Ａ  複合機本体上面
２２０  スキャナーユニット
Ａ  吸気口
Ｂ  排気口
Ｆ  気流
Ｐ  用紙
【図１】
2019133004.tif 000003
【図２】
2019133004.tif 000004
【図３】
2019133004.tif 000005
【図４】
2019133004.tif 000006
【図５】
2019133004.tif 000007
【図６】
2019133004.tif 000008
【図７】
2019133004.tif 000009
【図８】
2019133004.tif 000010
【図９】
2019133004.tif 000011
【図１０】
2019133004.tif 000012
【図１１】
2019133004.tif 000013
【図１２】
2019133004.tif 000014